(57)【要約】【課題】フィルターに付着した塵埃を自動的に除去する清掃機能を具備した空気調和機において、当該フィルタ清掃機能を具備しながら空気調和機の高さを低背にすることのできる空気調和機を提供すること。【解決手段】フィルタ清掃機能のホコリ除去部は前期本体の前面上部に設けられた吸込口部にのみ存在し、前記フィルタは上下方向に複数組に分かれているとともに、一組ごとに順次前期ホコリ除去部まで移動して、ホコリを除去するように構成したものである。【選択図】図１
2008020086.tif 000002
【特許請求の範囲】
【請求項１】
本体の前面上部および上面に設けられた吸込口と、前面下部に設けられた吹出口とを結ぶ空気通路に、フィルタと、熱交換器と、送風ファンとを夫々設けるとともに、前記フィルタ上のホコリを除去するホコリ除去部と、吸引ファン部と、前記ホコリ除去部と前記吸引ファン部とを連結する吸引ダクト部とで構成してなるフィルタ清掃手段を具備した空気調和機であって、前記ホコリ除去部は前期本体の前面上部に設けられた吸込口部にのみ存在することを特徴とする空気調和機。
【請求項２】
フィルタは上下方向に複数組に分かれているとともに、一組ごとに順次前期ホコリ除去部まで移動して、ホコリを除去することを特徴とする請求項１に記載の空気調和機。
【発明の詳細な説明】
【技術分野】
【０００１】
本発明は、空気調和機に係わり、より詳細には、フィルタ上のホコリを自動的に清掃するフィルタ清掃機能の収納性の向上に関する。
【背景技術】
【０００２】
従来のこの種の技術としては、図７のように、移動可能でかつフィルタ上のホコリを除去するホコリ除去手段である吸い込みノズルをフィルタの風上側に配し、さらに前記吸い込みノズルからのホコリを吸引・排気する吸引排気装置を配し、この吸引排気装置の吸い込み口を前記吸い込みノズルに連通する吸い込みダクトと繋ぎ、前記吸引排気装置の吹き出し口を室外へ排気する排気ダクトに連通させてホコリを排出できるようにしている（例えば、特許文献１参照）。
【特許文献１】特開２００４−３５３９６６号公報
【発明の開示】
【発明が解決しようとする課題】
【０００３】
しかしながら、前記従来の構成では、ホコリ除去手段である吸い込みノズルは、本体の前面上部および上面に設けられた吸込口に設けられたフィルタの全面のホコリを除去するために、本体の前面上部および上面にわたってＬ字状に存在しており、特に本体上面部分は、空気調和機の本体高さ寸法を大きくする要因となり、空気調和機を、天井と、カーテンレールや鴨居等の間の限られた壁面に設置しにくくなるという課題を有していた。
【０００４】
また、本体高さ寸法を維持しようとすると、内部の熱交換器や送風路を小さくする必要があり、その場合は本体の性能低下を招く。
【０００５】
本発明は、前記従来の課題を解決するもので、本体の性能を高く維持したまま、本体高さ寸法を低く維持することができるフィルタ清掃手段を備えた空気調和機を提供することを目的とする。
【課題を解決するための手段】
【０００６】
前記従来の課題を解決するために、本体の前面上部および上面に設けられた吸込口と、前面下部に設けられた吹出口とを結ぶ空気通路に、フィルタと、熱交換器と、送風ファンとを夫々設けるとともに、前記フィルタ上のホコリを除去吸引するホコリ除去部と、吸引ファン部と、前記ホコリ除去部と前記吸引ファン部とを連結する吸引ダクト部とで構成してなるフィルタ清掃手段を具備した空気調和機であって、前記ホコリ除去部は前期本体の前面上部に設けられた吸込口部にのみ存在し、前記フィルタは上下方向に複数組に分かれているとともに、一組ごとに順次前期ホコリ除去部まで移動して、ホコリを除去するように構成したものである。
【０００７】
これによって、本体の性能を高く維持したまま、本体高さ寸法を低く維持することができるフィルタ清掃手段を備えた空気調和機を提供するというものである。
【発明の効果】
【０００８】
本発明は、空気調和機に係わり、フィルタ上のホコリを自動的に清掃するフィルタ清掃機能に関し、本体の性能を高く維持したまま、本体高さ寸法を低く維持することができるフィルタ清掃手段を備えた空気調和機を提供することができる。
【発明を実施するための最良の形態】
【０００９】
本発明は、本体の前面上部および上面に設けられた吸込口と、前面下部に設けられた吹出口とを結ぶ空気通路に、フィルタと、熱交換器と、送風ファンとを夫々設けるとともに、前記フィルタ上のホコリを除去吸引するホコリ除去部と、吸引ファン部と、前記ホコリ除去部と前記吸引ファン部とを連結する吸引ダクト部とで構成してなるフィルタ清掃手段を具備した空気調和機であり、前記ホコリ除去部は前期本体の前面上部に設けられた吸込口部にのみ存在し、前記フィルタは上下方向に複数組に分かれているとともに、一組ごとに順次前期ホコリ除去部まで移動して、ホコリを除去するように構成することで、本体の性能を高く維持したまま、本体高さ寸法を低く維持することができるフィルタ清掃装置を備えた空気調和機を提供するというものである。
【００１０】
以下、本発明の実施の形態について、図面を参照しながら説明する。なお、この実施の形態によって本発明が限定されるものではない。
【００１１】
（実施の形態）
図１は、本発明の実施の形態における空気調和機の縦断面図、図２はフィルタ清掃手段の斜視図、図３は吸引ノズルの斜視図、図４〜６はフィルタの動作を説明する縦断面図である。
【００１２】
空気調和機の室内機１３の内部に熱交換器１１と本体送風ファン１２を有し、室内機１３のフィルタ６に付着するホコリを吸引し、左右に動く吸引ノズル５をフィルタ６の風上側前面に配し、さらにホコリを吸引・排気する吸引ファン部７を室内機１３の側面に配置している。
【００１３】
また、吸引ノズル５と吸引ファン部７は吸引ダクト３で接続され、吸引ファン部７から屋外につながる排気ダクト８があり、これらでフィルタ清掃手段１を構成する。
フィルタ６は上面フィルタと前面フィルタに分かれ、それぞれが、さらに左右に分かれており、計４枚から成る。すなわち、上面右フィルタ６ＡＲ、上面左フィルタ６ＡＬ、前面右フィルタ６ＢＲ、前面左フィルタ６ＢＬである。
【００１４】
図３において、吸引ノズル５は、ホコリ吸引口移動用モータ１１６によって上下に駆動されホコリ吸引口１１７が穿たれたフィルム１１８を備えており、ホコリ吸引口移動用モータ１１６の回転によりホコリ吸引口１１７が順次移動する。また、１１９は吸引ダクト部３に連結する連結口である。
【００１５】
図４〜６において、上面右フィルタ６ＡＲ、上面左フィルタ６ＡＬの裏側には、各々フィルタ移動用モータにつながるフィルタ移動用ローラ１２０とガイド１２１が配されている。
【００１６】
以上のように形成されたことによって、本発明によるフィルタ清掃手段１は次のように作用する。
【００１７】
まず、図４のように上面右フィルタ６ＡＲ、上面左フィルタ６ＡＬが、空気調和機上面にある状態で、前記吸引ノズル５は、ホコリ吸引口１１７が最も下にある状態で、前面右フィルタ６ＢＲ、前面左フィルタ６ＢＬの風上を左右に移動し（図２参照）、そのホコリを吸引除去する。
【００１８】
次に、ホコリ吸引口移動用モータ１１６の回転によりフィルム１１８が上方に移動し（図３参照）、それに応じてホコリ吸引口１１７が上方に移動すると、前記吸引ノズル５が、前面右フィルタ６ＢＲ、前面左フィルタ６ＢＬの風上を左右に移動し、最初の位置の上隣のホコリを吸引除去する。
【００１９】
このようにして、順次清掃を行い、前面右フィルタ６ＢＲ、前面左フィルタ６ＢＬ全面のホコリを清掃し終えると、前記フィルタ移動用ローラ１２０が回転して、上面右フィルタ６ＡＲ、上面左フィルタ６ＡＬを前面下方へ移動させる（図５参照）。上面右フィルタ６ＡＲ、上面左フィルタ６ＡＬは、ガイド１２１に誘導されて、前記吸引ノズル５と、前面右フィルタ６ＢＲ、前面左フィルタ６ＢＬの隙間に割り込む形で挿入される。
【００２０】
これに応じ、前面右フィルタ６ＢＲ、前面左フィルタ６ＢＬは、後方に押しつけられるかたちで移動する。
【００２１】
この状態（図６）で、前記吸引ノズル５は、ホコリ吸引口１１７が最も下にある状態で、上面右フィルタ６ＡＲ、上面左フィルタ６ＡＬの風上側面を左右に移動し、そのホコリを吸引除去する。
【００２２】
次に、ホコリ吸引口移動用モータ１１６の回転によりフィルム１１８が上方に移動し、それに応じてホコリ吸引口１１７が上方に移動すると、前記吸引ノズル５が、上面右フィルタ６ＡＲ、上面左フィルタ６ＡＬの風上側面を左右に移動し、最初の位置の上隣のホコリを吸引除去する。
【００２３】
このようにして、順次清掃を行い、上面右フィルタ６ＡＲ、上面左フィルタ６ＡＬ全面のホコリを清掃し終えると、前記フィルタ移動用ローラ１２０が反転して、上面右フィルタ６ＡＲ、上面左フィルタ６ＡＬを上方背面方向へ移動させる。
【００２４】
上面右フィルタ６ＡＲ、上面左フィルタ６ＡＬが上方へ移動すると、ばね１２２に押されるかたちで前面右フィルタ６ＢＲ、前面左フィルタ６ＢＬは前方に押し出され、吸引ノズル５に密着する元の位置（図４参照）に戻り、一連のフィルタ清掃が完了する。
【００２５】
なお、上記の過程で、ホコリ吸引口１１７を通して吸引されたホコリは、前記吸引ダクト３内を通って前記吸引ファン部７に運ばれ、その後屋外に排出される。
【産業上の利用可能性】
【００２６】
以上のように、本発明にかかる空気調和機は、本体の前面上部および上面に設けられた吸込口と、前面下部に設けられた吹出口とを結ぶ空気通路に、フィルタと、熱交換器と、送風ファンとを夫々設けるとともに、前記フィルタ上のホコリを除去吸引するホコリ除去部と、吸引ファン部と、前記ホコリ除去部と前記吸引ファン部とを連結する吸引ダクト部とで構成してなるフィルタ清掃手段があり、前記ホコリ除去部は前期本体の前面上部に設けられた吸込口部にのみ存在し、前記フィルタは上下方向に複数組に分かれているとともに、一組ごとに順次前期ホコリ除去部まで移動して、ホコリを除去するように構成することで、本体の性能を高く維持したまま、本体高さ寸法を低く維持することができるフィルタ清掃装置を備えた空気調和機を提供するというものであり、空気調和機の室内機以外に、送風機とフィルタを有しコンパクトさを要求される装置一般における、フィルタ清掃装置にも広く適用できる。
【図面の簡単な説明】
【００２７】
【図１】本発明の実施の形態における空気調和機の縦断面図
【図２】本発明の実施の形態におけるフィルタ清掃手段の斜視図
【図３】本発明の実施の形態における吸引ノズルの斜視図
【図４】本発明の実施の形態におけるフィルタの動作を説明する縦断面図
【図５】本発明の実施の形態におけるフィルタの動作を説明する縦断面図
【図６】本発明の実施の形態におけるフィルタの動作を説明する縦断面図
【図７】従来の空気調和機の縦断面図
【符号の説明】
【００２８】
１    フィルタ清掃手段
２    フレーム枠
３    吸引ダクト
５  吸引ノズル
６    フィルタ
６ＡＲ  上面右フィルタ
６ＡＬ  上面左フィルタ
６ＢＲ  前面右フィルタ
６ＢＬ  前面左フィルタ
７  吸引ファン部
８  排気ダクト
１１  熱交換器
１２  本体送風ファン
１３  空気調和機の室内機本体
１１６  ホコリ吸引口移動用モータ
１１７  ホコリ吸引口
１１８  フィルム
１１９  連結口
１２０  フィルタ移動用ローラ
１２１  ガイド
１２２  ばね
【図１】
2008020086.tif 000003
【図２】
2008020086.tif 000004
【図３】
2008020086.tif 000005
【図４】
2008020086.tif 000006
【図５】
2008020086.tif 000007
【図６】
2008020086.tif 000008
【図７】
2008020086.tif 000009